(57)【要約】【課題】本発明は、ブレスレットを構成するゴム状弾性体の長さを調整可能としたものであり、長めのゴム状弾性体をもってブレスレットとしておけば、これを装着時に伸縮することができるため、何人も使用することができることとなったものである。【解決手段】有端のゴム状弾性体を連結部材に接続して環状体としたブレスレットにあって、連結部材の少なくとも一方端に内側又は外側に開放可能とした湾曲アームと前記ゴム弾性体を支持する挟持手段とを備えたことを特徴とするブレスレット。１‥ゴム状弾性体、２‥連結部材、２ａ‥連結基材、２ｂ‥ピン、３ａ、３ｂ‥湾曲アーム、４‥爪。【選択図】図３
2007014514.tif 000002
【特許請求の範囲】
【請求項１】
有端のゴム状弾性体を連結部材に接続して環状体としたブレスレットにあって、連結部材の少なくとも一方端に内側又は外側に開放可能とした湾曲アームと前記ゴム弾性体を支持する挟持手段とを備えたことを特徴とするブレスレット。
【請求項２】
連結部材の両端に湾曲アーム備えた請求項１記載のブレスレット。
【発明の詳細な説明】
【技術分野】
【０００１】
本発明は、長さ調整可能なブレスレットに関するものである。
【背景技術】
【０００２】
近年、トルマリンや永久磁石等の健康の増進に効果のある材料を、例えばシリコンゴムや軟質樹脂中に練り込んで弾力性のあるバンド状となし、これをブレスレット等の形態とし、人体に装着して健康を増進したり、疲労回復に供することが広く行われており、特に運動選手等が好んで採用している。
【０００３】
そして、通常は弾力性のあるベルト材や紐材が市販され、これを最適な長さに切断し、連結部材にて環状としてブレスレットが構成されている。かかるベルト材等は通常Ｌ、Ｓ等の長さに切断されて販売されており、これを更に最適な長さに切断し、連結部材にて環状に形成して使用されている。
【０００４】
しかしながら、手首の太さは人夫々によって異なるため、手首が細目の人に合わせたブレスレットは他の人には使用できないというケースがある。
【発明の開示】
【発明が解決しようとする課題】
【０００５】
本発明は、上記のブレスレットにあって、ゴム状弾性体の長さを調整可能とした形態としたものであり、これによって、一つのブレスレットが多くの人に使用可能なように改良したことを目的としたものである。
【課題を解決するための手段】
【０００６】
本発明の要旨は、有端のゴム状弾性体を連結部材に接続して環状体としたブレスレットにあって、連結部材の少なくとも一方端、好ましくはその両端に内側又は外側に開放可能とした湾曲アームと前記ゴム弾性体を保持する挟持手段とを備えたことを特徴とするブレスレットに係るものである。
【発明の効果】
【０００７】
本発明は以上の通りであり、ゴム状弾性体の長さを調整可能とすべく挟持手段を備えたものであって、これによって長めのゴム状弾性体をもってブレスレットとしておけば、これを装着時に伸縮することができるため、何人も使用することができることとなったものである。
【発明を実施するための最良の形態】
【０００８】
本発明に使用されるゴム状弾性体は、好ましくはシリコンゴムが用いられるが、特にこれには限定されることはなく、例えば、ＰＥ、ＰＰ、ＰＳ等の柔軟性のある合成樹脂が用いられ、更にはナイロン樹脂等も採用可能である。そして、このゴム状弾性体もその状態が一枚のベルト状のものであっても、紐状のものであっても、或いは繊維状としたものを編み込んでなるベルト又は紐としたものでもよく、その形態は問わない。
【０００９】
更に、このゴム状弾性体には人体に好影響をもたらされるとされる例えばトルマリンやゲルマニウム等の鉱物資源や磁性体等を練り込んでおくのが好ましく、場合によっては、ゴム状弾性体自体が装飾部材として人体を飾るものであってもよい。
【００１０】
かかるゴム状弾性体を環状体とする連結部材には、好ましくはその両端に内側又は外側に開放可能とした湾曲アームが備えられており、この部位に前記ゴム弾性体を保持する挟持手段を備えたものである。かかる挟持手段は特に限定されるものではないが、湾曲アームを折り畳んだ際に同時にゴム状弾性体を挟みつけて挟持する爪部を備えるものがよく、ゴム状弾性体に対してこの爪部の位置を変化させることによって環状長さを変えることが可能となったものである。尚、好ましくはゴム状弾性体の両端に対して爪部を備えるのがよいが、場合によっては、その一方のみに長さを調節できる手段を備えることも可能であり、この場合には一方端はゴム状弾性体を連結部材に固着する手段が必要となる。かかる連結部材は通常は金属材料で構成され、一般にはこの表面に装飾効果のある形態が表現されるものである。
【００１１】
連結部材に備えられる湾曲アームは、環状とした場合の内側に開放されるものであっても、外側に開放される構造であってもいずれでもよい。尚、両端に爪を備える場合には、湾曲アームはこれに伴って両端に備えられるものが一般的であり、一方のみに備えられる場合にはその側にのみ備えられるものであってもよい。
【実施例】
【００１２】
以下、本発明のブレスレットの好ましい例を図面をもって更に詳細に説明する。図１は第１例の正面図であり、図２はその側面図である。又、図３は中央断面図である。符号１はシリコンゴム製のバンド状をなすゴム状弾性体、２は連結部材である。
【００１３】
この連結部材２はこの例では連結基材２ａとこの両端に中央から外側に開放可能とした一対の湾曲アーム３ａ、３ｂとよりなっており、その基部がピン２ｂにより回転可能に軸支されている。そして、この湾曲アーム３ａ、３ｂの内側に内向きに爪４を備え、湾曲アーム３ａ、３ｂを折り畳んだ際に、爪４がゴム状弾性体１に食い込み、ゴム状弾性体１がその状態で支持される構造となっている。勿論、この爪４の食い込み位置を変化させることによりゴム状弾性体１の実質的な長さが変化し、環状長さの異なるブレスレットとなるものである。尚、この例にあっては、湾曲アーム３ａの外表面に任意の装飾３Ａを施すものである。
【００１４】
尚、図にあって、爪４は湾曲アーム３ａ、３ｂと一体に形成されているが、これに限るものではなく、図４に単独で示すように、例えば弾発性を有する部材にて爪部４を形成し、これを湾曲アーム３ａ、３ｂの内側としてピン２ｂにて軸支するものでもよい。
【００１５】
図５は湾曲アーム３ｂを備えないブレスレットの断面図であり、ゴム状弾性体１の一端は連結基材２ａに任意の手段にて固着され、他方端が湾曲アーム３ａにて長さを変化させる形態である。この例における連結基材２ａへの固着は連結基材２ａから伸びる偏平筒状を構成する加締片２ｃをもってゴム状弾性体１を挟み、連結基材２ａ側へ片２ｃを加締て押付け固着する手段である。
【００１６】
湾曲アーム３ａ、３ｂは連結基材２ａの側面に形成された小さな突起２ｄに対して湾曲アーム３ａ、３ｂ側に形成した図示しない凹みとを嵌め合わせて固定することになる。
【００１７】
図６は湾曲アーム３ａ、３ｂが連結基材２ａとこの両端に中央から内側に開放可能とした例である。その連結基材２ａとの取り付け、爪４その他の関係は基本的に前例とほぼ同じであり、爪４を備えた湾曲アーム３ａ、３ｂの向きが異なるだけである。
【産業上の利用可能性】
【００１８】
本発明は以上の通りであり、ゴム状弾性体の長さを調整可能とすべく挟持手段を備えたものであって、これによってブレスレットが誰にでも使用可能となったものであり、その利用範囲は広い。
【図面の簡単な説明】
【００１９】
【図１】図１は本発明のブレスレットの正面図である。
【図２】図２は図１の側面図である。
【図３】図３は図１の中央断面図である。
【図４】図４は爪部の単体の例を示す斜視図である。
【図５】図５は本発明のブレスレットの別例を示す中央断面図である。
【図６】図６は本発明のブレスレットの更に別例を示す側面図である。
【符号の説明】
【００２０】
１‥ゴム状弾性体、
２‥連結部材、
２ａ‥連結基材、
２ｂ‥ピン、
２ｃ‥加締片、
２ｄ‥小突起、
３ａ、３ｂ‥湾曲アーム、
４‥爪。
【図１】
2007014514.tif 000003
【図２】
2007014514.tif 000004
【図３】
2007014514.tif 000005
【図４】
2007014514.tif 000006
【図５】
2007014514.tif 000007
【図６】
2007014514.tif 000008